(57)【要約】【課題】  ダンパー本体のみを交換することができるとともに、任意の部材にワンタッチで作業性よく取り付けることのできる緩衝器取付具を提供する。【解決手段】  ダンパー本体５１を抱持する緩衝器抱持有底筒状部１１と、この緩衝器抱持有底筒状部１１の外側に設けられた、挿通孔２４を有する取付片２１と、この取付片２１の下側に挿通孔２４に対応させて設けられた、複数の係合突条３３を有する係合脚３１と、挿通孔２４へ軸部４３を挿入することにより、係合脚３１を撓ませて係合突条３３を任意の部材に係合させる係止ピン４１とで構成され、軸部４３が当接する係合脚３１の部分にテーパー突条部３４を設け、挿通孔２４内に弾性仮止め係止爪２６を設け、軸部４３に弾性仮止め係止爪２６が係合する仮止め係合段部４５を設ける。【選択図】    図６
2006105190.tif 000002
【特許請求の範囲】
【請求項１】
緩衝器を任意の部材に取り付ける緩衝器取付具であって、
前記緩衝器を抱持する緩衝器抱持有底筒状部と、
この緩衝器抱持有底筒状部の外側に設けられた、挿通孔を有する取付片と、
この取付片の下側に前記挿通孔に対応させて設けられた係合脚と、
前記挿通孔へ軸部を挿入することにより、前記係合脚を撓ませて前記任意の部材に係合させる係止ピンとで構成されている、
ことを特徴とする緩衝器取付具。
【請求項２】
緩衝器を任意の部材に取り付ける緩衝器取付具であって、
前記緩衝器を抱持する緩衝器抱持有底筒状部と、
この緩衝器抱持有底筒状部の外側に設けられた、挿通孔を有する取付片と、
この取付片の下側に前記挿通孔に対応させて設けられた、外面に複数の係合部を有する係合脚と、
前記挿通孔へ軸部を挿入することにより、前記係合脚を撓ませて前記係合部を前記任意の部材に係合させる係止ピンとで構成されている、
ことを特徴とする緩衝器取付具。
【請求項３】
緩衝器を任意の部材に取り付ける緩衝器取付具であって、
前記緩衝器を抱持する緩衝器抱持有底筒状部と、
この緩衝器抱持有底筒状部の外側に設けられた、半円形状の挿通孔を有する取付片と、
この取付片の下側に前記挿通孔に対応させて設けられた、外面に複数の係合部を有する係合脚と、
前記挿通孔へ軸部を挿入することにより、前記係合脚を撓ませて前記係合部を前記任意の部材に係合させる係止ピンとで構成されている、
ことを特徴とする緩衝器取付具。
【請求項４】
請求項１から請求項３のいずれか１項に記載の緩衝器取付具において、
前記軸部が当接する前記係合脚の部分に、下側へ順次厚くなるテーパー部を設けた、
ことを特徴とする緩衝器取付具。
【請求項５】
請求項１から請求項４のいずれか１項に記載の緩衝器取付具において、
前記挿通孔内または前記係合脚の前記軸部が当接する面の上側に、仮止め係止部を設け、
前記軸部に、その軸部を前記挿通孔内へ挿入すると、前記仮止め係止部が係合する仮止め係合段部を設けた、
ことを特徴とする緩衝器取付具。
【発明の詳細な説明】
【技術分野】
【０００１】
この発明は、例えば、回動する扉（移動体）が閉まるときの回動速度（移動速度）を制動して扉が吊り戸棚本体（任意の部材）に衝突する衝突音を小さくしたり、衝突音を出させないようにするダンパー本体（緩衝器）を、吊り戸棚本体に取り付けるための緩衝器取付具に関するものである。
【背景技術】
【０００２】
従来のダンパーは、例えば、特許文献１または特許文献２に開示されているように、ダンパー本体と、このダンパー本体を任意の部材に取り付けるための取付片とが一体的に設けられていた。
そして、ダンパーは、取付片に設けられた挿通孔に挿通される、枢軸、タッピングスクリュー、取付ビスなどで任意の部材に取り付けられていた。
【特許文献１】特許第２６９６２０８号明細書
【特許文献２】特公平４−３４０１５号公報
【発明の開示】
【発明が解決しようとする課題】
【０００３】
従来のダンパーは、ダンパー本体を交換する場合、ダンパー本体に取付片が一体的に設けられているので、交換しなくてもよい取付片までも、すなわち、全体を交換しなければならなかった。
また、枢軸、タッピングスクリュー、取付ビスなどで任意の部材にダンパーを取り付けていたので、ダンパーの取付に手間と労力を要していた。
【０００４】
この発明は、上記したような不都合を解消するためになされたもので、ダンパー本体のみを交換することができるとともに、任意の部材にワンタッチで作業性よく取り付けることのできる緩衝器取付具を提供するものである。
【課題を解決するための手段】
【０００５】
この発明は、以下のような発明である。
（１）緩衝器を任意の部材に取り付ける緩衝器取付具であって、前記緩衝器を抱持する緩衝器抱持有底筒状部と、この緩衝器抱持有底筒状部の外側に設けられた、挿通孔を有する取付片と、この取付片の下側に前記挿通孔に対応させて設けられた係合脚と、前記挿通孔へ軸部を挿入することにより、前記係合脚を撓ませて前記任意の部材に係合させる係止ピンとで構成されていることを特徴とする。
（２）緩衝器を任意の部材に取り付ける緩衝器取付具であって、前記緩衝器を抱持する緩衝器抱持有底筒状部と、この緩衝器抱持有底筒状部の外側に設けられた、挿通孔を有する取付片と、この取付片の下側に前記挿通孔に対応させて設けられた、外面に複数の係合部を有する係合脚と、前記挿通孔へ軸部を挿入することにより、前記係合脚を撓ませて前記係合部を前記任意の部材に係合させる係止ピンとで構成されていることを特徴とする。
（３）緩衝器を任意の部材に取り付ける緩衝器取付具であって、前記緩衝器を抱持する緩衝器抱持有底筒状部と、この緩衝器抱持有底筒状部の外側に設けられた、半円形状の挿通孔を有する取付片と、この取付片の下側に前記挿通孔に対応させて設けられた、外面に複数の係合部を有する係合脚と、前記挿通孔へ軸部を挿入することにより、前記係合脚を撓ませて前記係合部を前記任意の部材に係合させる係止ピンとで構成されていることを特徴とする。
（４）（１）から（３）のいずれか１つに記載の緩衝器取付具において、前記軸部が当接する前記係合脚の部分に、下側へ順次厚くなるテーパー部を設けたことを特徴とする。
（５）（１）から（４）のいずれか１つに記載の緩衝器取付具において、前記挿通孔内または前記係合脚の前記軸部が当接する面の上側に、仮止め係止部を設け、前記軸部に、その軸部を前記挿通孔内へ挿入すると、前記仮止め係止部が係合する仮止め係合段部を設けたことを特徴とする。
【発明の効果】
【０００６】
この発明によれば、緩衝器を緩衝器抱持有底筒状部に抱持させたので、緩衝器のみを交換することができる。
また、係止ピンの軸部を取付片の挿通孔へ挿入することにより、係合脚を撓ませて任意の部材に係合脚を係合させることができるので、任意の部材に緩衝器取付具をワンタッチで作業性よく取り付けることができる。
そして、係合脚の外面に複数の係合部を設けたので、複数の係合部を任意の部材に係合させることにより、任意の部材に強固に取り付けることができる。
さらに、取付片の挿通孔を半円形状としたので、挿通孔と係止ピンとに方向性を持たせ、係止ピンを回らないように取り付けることができるため、係合脚の任意の部材との係合状態を維持させることができる。
そして、軸部が当接する係合脚の部分に、下側へ順次厚くなるテーパー部を設けたので、係合脚を確実に撓ませて任意の部材に強固に係合させることができる。
さらに、取付片の挿通孔内または係合脚の、係止ピンの軸部が当接する面の上側に、仮止め係止部を設け、係止ピンの軸部に、その軸部を挿通孔内へ挿入すると、仮止め係止部が係合する仮止め係合段部を設けたので、係止ピンを取付片に仮止め状態に取り付けてセット状態にすることにより、部品管理が行い易くなり、部品の紛失を防止できるとともに、取扱易くなり、また、取付作業も作業性よく行うことができる。
【発明を実施するための最良の形態】
【０００７】
以下、この発明の実施例を図に基づいて説明する。
【０００８】
図１はこの発明の一実施例である緩衝器取付具の分解斜視図、図２は図１に示した緩衝器抱持有底筒状部に設けられている係止突起部分を示すために緩衝器抱持有底筒状部を破断した部分拡大斜視図、図３は図１に示した緩衝器抱持有底筒状部および取付片の拡大平面図、図４は図１に示した取付片の下側に設けられている一方の係合脚を示す拡大部分斜視図、図５は図１に示した係止ピンの拡大底面図、図６および図７は係止ピンを取付片に仮止めする説明図である。
【０００９】
図１において、Ａは緩衝器取付具を示し、ダンパー本体５１を抱持する合成樹脂製の緩衝器抱持有底筒状部１１と、この緩衝器抱持有底筒状部１１の軸と直交する両外側に一体的に設けられた取付片２１と、この各取付片２１に設けられている挿通孔２４の下側に位置させて各取付片２１に一体的に設けられた係合脚３１と、取付片２１の各挿通孔２４へ軸部４３を挿入することにより、各係合脚３１を撓ませる合成樹脂製の係止ピン４１とで構成されている。
【００１０】
上記した緩衝器抱持有底筒状部１１は、一端が閉塞された円筒状とされている。
そして、緩衝器抱持有底筒状部１１には、図２に示すように、先端（底側、後端側）が自由端とされている弾性片１３と、この弾性片１３の先端に設けられ、緩衝器抱持有底筒状部１１内へ突出する係止突起１４とからなる弾性係止突起１２が一体的に設けられている。
【００１１】
上記した各取付片２１には、図１に示すように、緩衝器抱持有底筒状部１１の前端上側に、緩衝器抱持有底筒状部１１の前端側から緩衝器抱持有底筒状部１１の後端側へ上昇する傾斜面２２が設けられるとともに、この傾斜面２２に一部が重なり、上側へ開放する平面視円形の凹部２３と、この凹部２３の中心に位置する半円形状（Ｄカット状）の挿通孔２４と、この挿通孔２４内に形成された弾性仮止め係止部としての弾性仮止め係止爪２６とが設けられている。
なお、弾性仮止め係止爪２６は、図３および図４に示すように、挿通孔２４の残りの半円形部分に上側へ開放させて設けた肉抜き凹部２５によって形成された弾性片２７と、この弾性片２７に一体的に設けられ、挿通孔２４へ僅かに突出するとともに、突出した上端部分が弾性片２７から離れるにつれて下降する傾斜面（ガイド面）とされた仮止め係止部としての仮止め係止爪２８とで構成されている。
そして、弾性仮止め係止爪２６は、抜け止め係止部としての抜け止め係止爪も兼ねている。
【００１２】
上記した係合脚３１は、図４に示すように、取付片２１の肉抜き凹部２５の下側に連設され、挿通孔２４と円を形成する平面視半円形状で、外側（外周）面が下側へ窄むように内側へ傾斜した係合脚本体３２と、この係合脚本体３２の外周に、円弧状に設けられた係合部としての複数の係合突条３３と、係合脚本体３２の、係止ピン４１の軸部４３が当接する部分に設けられた、下側へ順次厚くなるテーパー部としてのテーパー突条部３４とで構成されている。
【００１３】
上記した係止ピン４１は、図１および図６に示すように、取付片２１の凹部２３よりも僅かに小さな平面視円形で、下側の周縁が上側へ拡がる傾斜面とされた頭部４２と、この頭部４２の中心に下側へ向けて連設された、取付片２１の挿通孔２４内へ挿入される半円形状（Ｄカット状）の軸部４３とで構成されている。
そして、軸部４３の上下に延びる平面部分には、下側部分に凹部４４を設けることによって取付片２１の仮止め係止爪２８が係合する仮止め係合段部４５が設けられている。
【００１４】
上記した緩衝器としてのダンパー本体５１は、緩衝器抱持有底筒状部１１内へ挿入される円筒状のハウジング（シリンダ）５２と、このハウジング５２内に収容され、ハウジング５２の軸方向へ移動するピストンと、このピストンに連結され、ハウジング５２の一端からハウジング５２の軸方向へ突出するロッド５５と、このロッド５５をハウジング５２から突出させるようにピストンを付勢する付勢部材、例えば、コイルスプリングと、ハウジング５２内に収容された粘性流体、例えば、シリコーンオイルとで構成されている。
そして、ハウジング５２の外周には、軸方向へ所定長の周回溝５３を設けることにより、緩衝器抱持有底筒状部１１の係止突起１４が係合する周回した係合段部５４が設けられている。
なお、ピストンには、オリフィスが設けられている。
【００１５】
次に、係止ピン４１の取付片２１への仮止めについて説明する。
まず、図６に示すように、取付片２１の挿通孔２４の形状に係止ピン４１の軸部４３の形状を対応させた後、軸部４３を下端側から挿通孔２４内へ頭部４２を押して挿入すると、軸部４３が仮止め係止爪２８に衝合して弾性片２７を撓ませることにより、軸部４３を挿通孔２４内へ挿入することができる。
そして、軸部４３を挿通孔２４内へ所定長挿入すると、図７に示すように、仮止め係止爪２８が凹部４４と対向することにより、弾性片２７が自身の弾性で元の状態へ復帰するので、仮止め係止爪２８が仮止め係合段部４５と対向し、軸部４３が挿通孔２４から抜けなくなり、係止ピン４１の取付片２１への仮止めが完了する。
【００１６】
このように、係止ピン４１を取付片２１に仮止め状態に取り付けてセット状態にすることにより、部品管理が行い易くなり、部品の紛失を防止できるとともに、取扱易くなる。
【００１７】
図８はこの発明の一実施例である緩衝器取付具を用いてダンパー本体を吊り戸棚に取り付けた状態の斜視図、図９および図１０はこの発明の一実施例である緩衝器取付具を吊り戸棚に取り付ける説明図、図１１はこの発明の一実施例である緩衝器取付具にダンパー本体を抱持させる説明図である。
【００１８】
これらの図において、Ｃは吊り戸棚を示し、吊り戸棚本体（任意の部材）Ｂと、この吊り戸棚本体Ｂの前面に左端または右端の上下を、例えば、ヒンジ部材Ｈで回動可能に取り付けられた扉Ｄとで構成されている。
なお、ヒンジ部材Ｈは、扉Ｄが吊り戸棚本体Ｂを閉塞した状態と、例えば、扉Ｄが吊り戸棚本体Ｂに対して直角に開放した状態との２位置で、その状態を所定のトルクで維持するように構成されている。
そして、緩衝器取付具Ａは、吊り戸棚本体Ｂを構成する天板ｕに、２つの挿通孔２４に対応させて設けられた取付孔ｈを利用して取り付けられている。
【００１９】
次に、緩衝器取付具Ａの吊り戸棚Ｃへの取付について説明する。
まず、図７に示すように、係止ピン４１を取付片２１に仮止め状態に取り付けてセット状態にした緩衝器取付具Ａの各係合脚３１を、図９に示すように、吊り戸棚本体Ｂの天板ｕに設けられている取付孔ｈへ挿入する。
次に、頭部４２を押して挿通孔２４へ軸部４３を挿入すると、軸部４３が仮止め係止爪２８を押して弾性片２７を撓ませることにより、仮止め係止爪２８は弾性片２７の付勢力で軸部４３に圧接し、軸部４３がテーパー突状部３４を押して係合脚３１を撓ませる。
そして、図１０に示すように、頭部４２を取付片２１に当接させて凹部２３に収容させる状態まで押して挿通孔２４へ軸部４３を挿入すると、係合脚３１は最大に撓んで係合突条３３が天板ｕ（取付孔ｈの内周、縁）に係合することにより、係合脚３１が取付孔ｈから抜けなくなり、緩衝器取付具Ａの吊り戸棚Ｃへの取付が完了する。
なお、緩衝器取付具Ａを吊り戸棚Ｃから取り外す場合は、図１０の状態において、頭部４２と取付片２１との間に、傾斜面２２および頭部４２の下面をガイド面として、例えば、マイナスドライバーの先端を挿入して頭部４２を浮き上がらせ、図９の状態まで係止ピン４１を後退させることにより、緩衝器取付具Ａを吊り戸棚Ｃから取り外すことができる。
【００２０】
このように、係止ピン４１を取付片２１に仮止め状態に取り付けてセット状態にしておくことにより、軸部４３を挿通孔２４へ挿入して係合脚３１を撓ませて天板ｕに係合脚３１を係合させることができるので、天板ｕに緩衝器取付具Ａをワンタッチで作業性よく取り付けることができる。
そして、係合脚３１の外面に複数の係合突条３３を設けたので、複数の係合突条３３を天板ｕに係合させることにより、天板ｕに強固に取り付けることができる。
さらに、取付片２１の挿通孔２４を半円形状としたので、挿通孔２４と係止ピン４１とに方向性を持たせ、係止ピン４１を回らないように取り付けることができるため、係合脚３１の天板ｕとの係合状態を維持させることができる。
また、軸部４３が当接する係合脚３１の部分にテーパー突条部３４を設けたので、係合脚３１を確実に撓ませて複数の係合突条３３を天板ｕに強固に係合させることができる。
【００２１】
次に、ダンパー本体５１の緩衝器取付具Ａへの取付について説明する。
まず、図１１に示すように、緩衝器抱持有底筒状部１１内へロッド５５側からダンパー本体５１を挿入すると、ハウジング５２が係止突起１４に衝合して弾性片１３を撓ませることにより、ダンパー本体５１を緩衝器抱持有底筒状部１１内へ挿入することができる。
そして、ダンパー本体５１を緩衝器抱持有底筒状部１１内へ所定長挿入し、僅かにロッド５５をハウジング５２内へ押し込むと、係止突起１４が周回溝５３と対向することにより、弾性片１３が自身の弾性で元の状態へ復帰するので、ダンパー本体５１の押し込み力を解除すると、ロッド５５がスプリングの付勢力によって緩衝器抱持有底筒状部１１の底を押すことにより、係止突起１４が係合段部５４に係合し、ダンパー本体５１が緩衝器抱持有底筒状部１１から抜けでなくなり、ダンパー本体５１の緩衝器取付具Ａへの取付が完了する。
なお、ダンパー本体５１を緩衝器取付具Ａから取り出す場合は、緩衝器抱持有底筒状部１１から突出してハウジング５２を摘んで引き抜けば、ダンパー本体５１を緩衝器取付具Ａから取り出すことができる。
そして、ダンパー本体５１を緩衝器抱持有底筒状部１１に抱持させるのは、緩衝器取付具Ａを吊り戸棚Ｂへ取り付ける前でも、取り付けた後であってもよい。
【００２２】
このように、ダンパー本体５１を緩衝器抱持有底筒状部１１に抱持させたので、ダンパー本体５１のみを交換することができる。
【００２３】
図１２および図１３はこの発明の一実施例である緩衝器取付具を用いて取り付けたダンパー本体の動作説明図である。
【００２４】
次に、動作について説明する。
まず、図１２に示すように、開放させた状態の扉Ｄを閉じる方向へ回動させると、吊り戸棚本体Ｂから突出しているハウジング５２に扉Ｄが衝合することにより、扉Ｄはダンパー本体５１を緩衝器抱持有底筒状部１１内へ押し込みながら閉まる回動（移動）速度がダンパー本体５１によって制動される。
そして、図１３に示すように、扉Ｄは吊り戸棚本体Ｂの前面に当接し、吊り戸棚本体Ｂの前面を覆い隠す。
【００２５】
このようにして扉Ｄが回動するとき、扉Ｄが閉まるときの回動速度はダンパー本体５１によって制動されるので、扉Ｄが吊り戸棚本体Ｂに衝突する衝突音が小さく、または、衝突音を出させなくすることができる。
なお、図１３の状態から図１２の状態へ扉Ｄを開放させると、ロッド５５がスプリングの付勢力によって緩衝器抱持有底筒状部１１の底を押すので、ダンパー本体５１は図１２の状態へ復帰する。
【００２６】
上述したように、この発明の一実施例によれば、ダンパー本体５１を緩衝器抱持有底筒状部１１に抱持させたので、ダンパー本体５１のみを交換することができる。
また、係止ピン４１の軸部４３を取付片２１の挿通孔２４へ挿入することにより、係合脚３１を撓ませて吊り戸棚Ｂの天板ｕに係合脚３１を係合させることができるので、吊り戸棚Ｂの天板ｕに緩衝器取付具Ａをワンタッチで作業性よく取り付けることができる。
そして、係合脚３１の外面に複数の係合突条３３を設けたので、複数の係合突条３３を吊り戸棚Ｂの天板ｕに係合させることにより、吊り戸棚Ｂの天板ｕに強固に取り付けることができる。
さらに、取付片２１の挿通孔２４を半円形状としたので、挿通孔２４と係止ピン４１とに方向性を持たせ、係止ピン４１を回らないように取り付けることができるため、係合脚３１の吊り戸棚Ｂの天板ｕとの係合状態を維持させることができる。
そして、軸部４３が当接する係合脚３１の部分にテーパー突条部３４を設けたので、係合脚３１を確実に撓ませて複数の係合突条３３を吊り戸棚Ｂの天板ｕに強固に係合させることができる。
さらに、取付片２１の挿通孔２４内に仮止め係止爪２８を設け、係止ピン４１の軸部４３に仮止め係合段部４５を設けたので、係止ピン４１を取付片２１に仮止め状態に取り付けてセット状態にすることにより、部品管理が行い易くなり、部品の紛失を防止できるとともに、取扱易くなり、また、取付作業も作業性よく行うことができる。
【００２７】
図１４はこの発明の他の実施例である緩衝器取付具の緩衝器抱持有底筒状部に設けられている係止突起部分を示すために緩衝器抱持有底筒状部を破断した部分拡大斜視図であり、図１〜図１３と同一または相当部分に同一符号を付し、その説明を省略する。
【００２８】
図１４において、１４Ａは緩衝器抱持有底筒状部１１の内周に一体的に設けられた係止突起を示し、ダンパー本体のハウジングに設けられている係合段部に係合することにより、緩衝器抱持有底筒状部１１からダンパー本体を抜け出さないようにするものである。
なお、この実施例における他の部分は、先の一実施例と同様に構成されている。
【００２９】
この実施例においても、先の一実施例と同様な効果を得ることができる。
そして、係止突起１４Ａは緩衝器抱持有底筒状部１１の内側に設けられ、溝やスリットなどが外側にないので、外観が見栄えのするものとなる。
【００３０】
図１５および図１６はこの発明のさらに他の実施例である緩衝器取付具を吊り戸棚に取り付ける説明図であり、図１〜図１４と同一または相当部分に同一符号を付し、その説明を省略する。
【００３１】
図１５および図１６において、軸部４３の上下に延びる平面部分には、下側部分に凹部４４を設けることによって取付片２１の仮止め係止爪２８が係合する仮止め係合段部４５が設けられ、上端部分に凹部４６を設けることによって取付片２１の仮止め係止爪２８が係合する抜け止め係合段部４７が設けられている。
なお、この実施例における他の部分は、先の一実施例と同様に構成されている。
【００３２】
この実施例における、係止ピン４１の取付片２１への仮止め、および、ダンパー本体の緩衝器取付具Ａへの取付についての説明は、先の一実施例と同様になるので、その説明を省略し、緩衝器取付具Ａの吊り戸棚Ｃへの取付について説明する。
【００３３】
まず、図７に示すように、係止ピン４１を取付片２１に仮止め状態に取り付けてセット状態にした緩衝器取付具Ａの各係合脚３１を、図１５に示すように、吊り戸棚本体Ｂの天板ｕに設けられている取付孔ｈへ挿入する。
次に、頭部４２を押して挿通孔２４へ軸部４３を挿入すると、軸部４３が仮止め係止爪２８を押して弾性片２７を撓ませることにより、仮止め係止爪２８は弾性片２７の付勢力で軸部４３に圧接し、軸部４３がテーパー突状部３４を押して係合脚３１を撓ませる。
そして、図１６に示すように、頭部４２を取付片２１に当接させて凹部２３に収容させる状態まで押して挿通孔２４へ軸部４３を挿入すると、係合脚３１は最大に撓んで係合突条３３が天板ｕ（取付孔ｈの内周、縁）に係合する一方、仮止め係止爪２８が凹部４６と対向することにより、弾性片２７が自身の弾性で元の状態へ復帰するので、仮止め係止爪２８が抜け止め係合段部４７と対向する。
したがって、係合脚３１が取付孔ｈから抜けなくなるとともに、軸部４３が挿通孔２４から抜けなくなり、緩衝器取付具Ａの吊り戸棚Ｃへの取付が完了する。
なお、緩衝器取付具Ａを吊り戸棚Ｃから取り外す場合は、図１６の状態において、頭部４２と取付片２１との間に、傾斜面２２および頭部４２の下面をガイド面として、例えば、マイナスドライバーの先端を挿入して頭部４２を浮き上がらせ、図１５の状態まで係止ピン４１を後退させることにより、緩衝器取付具Ａを吊り戸棚Ｃから取り外すことができる。
【００３４】
この実施例においても、先の一実施例と同様な効果を得ることができる。
そして、取付片２１の挿通孔２４内に仮止め係止爪２８を設け、係止ピン４１の軸部４３に、その軸部４３を挿通孔２４内へ挿入すると、仮止め係止爪２８が係合する抜け止め係合段部４７を設けたので、係止ピン４１を取付孔２４から抜けでないように確実に取り付けることができる。
【００３５】
上記した実施例では、仮止め係止爪２８を挿通孔２４内に設けた例を示したが、仮止め係止爪（仮止め係止部）は、係合脚３１の軸部４３が当接する面の上側に設けてもよい。
そして、仮止め係止爪２８に抜け止め係止爪（抜け止め係止部）を兼ねさせ、この仮止め係止爪２８に係合する仮止め係合段部４５と抜け止め係合段部４７とを軸部４３に設けた例を示したが、仮止め係止爪２８と別に、仮止め係止爪２８の下側に抜け止め係止爪（抜け止め係止部）を設け、この仮止め係止爪２８と抜け止め係止爪（抜け止め係止部）とに係合する、仮止め係合段部と抜け止め係合段部とを兼ねる１つの係合段部を軸部４３に設けても、同様に機能させることができるとともに、同様な効果を得ることができる。
また、仮止め係止爪２８に抜け止め係止爪（抜け止め係止部）を兼ねさせ、この仮止め係止爪２８に係合する仮止め係合段部４５と抜け止め係合段部４７とを軸部４３に設けた例を示したが、仮止め係止爪２８と別に抜け止め係止爪（抜け止め係止部）を設けるとともに、この抜け止め係止爪（抜け止め係止部）に係合する抜け止め係合段部を軸部４３に設けても、同様に機能させることができるとともに、同様な効果を得ることができる。
次に、係合脚３１に、係合部として係合突条３３を設けた例を示し他が、係合部は突起であってもよい。
また、任意の部材を吊り戸棚本体Ｂとし、移動体を扉Ｄとした例を示したが、任意の部材を他の部材とし、この部材に対して移動体が直線的に接近したり、遠ざかるものにも適用することができる。
さらに、緩衝器をダンパー本体５１とした例を示したが、同様に機能する他の緩衝器、例えば、ショックアブソーバーなどであってもよい。
【図面の簡単な説明】
【００３６】
【図１】この発明の一実施例である緩衝器取付具の分解斜視図である。
【図２】図１に示した緩衝器抱持有底筒状部に設けられている係止突起部分を示すために緩衝器抱持有底筒状部を破断した部分拡大斜視図である。
【図３】図１に示した緩衝器抱持有底筒状部および取付片の拡大平面図である。
【図４】図１に示した取付片の下側に設けられている一方の係合脚を示す拡大部分斜視図である。
【図５】図１に示した係止ピンの拡大底面図である。
【図６】係止ピンを取付片に仮止めする説明図である。
【図７】係止ピンを取付片に仮止めする説明図である。
【図８】この発明の一実施例である緩衝器取付具を用いてダンパー本体を吊り戸棚に取り付けた状態の斜視図である。
【図９】この発明の一実施例である緩衝器取付具を吊り戸棚に取り付ける説明図である。
【図１０】この発明の一実施例である緩衝器取付具を吊り戸棚に取り付ける説明図である。
【図１１】この発明の一実施例である緩衝器取付具にダンパー本体を抱持させる説明図である。
【図１２】この発明の一実施例である緩衝器取付具を用いて取り付けたダンパー本体の動作説明図である。
【図１３】この発明の一実施例である緩衝器取付具を用いて取り付けたダンパー本体の動作説明図である。
【図１４】この発明の他の実施例である緩衝器取付具の緩衝器抱持有底筒状部に設けられている係止突起部分を示すために緩衝器抱持有底筒状部を破断した部分拡大斜視図である。
【図１５】この発明のさらに他の実施例である緩衝器取付具を吊り戸棚に取り付ける説明図である。
【図１６】この発明のさらに他の実施例である緩衝器取付具を吊り戸棚に取り付ける説明図である。
【符号の説明】
【００３７】
Ａ      緩衝器取付具
１１    緩衝器抱持有底筒状部
１２    弾性係止突起
１３    弾性片
１４    係止突起
１４Ａ  係止突起
２１    取付片
２２    傾斜面
２３    凹部
２４    挿通孔
２５    肉抜き凹部
２６    弾性仮止め係止爪（弾性仮止め係止部）
２７    弾性片
２８    仮止め係止爪（仮止め係止部）
３１    係合脚
３２    係合脚本体
３３    係合突条（係合部）
３４    テーパー突条部（テーパー部）
４１    係止ピン
４２    頭部
４３    軸部
４４    凹部
４５    仮止め係合段部
４６    凹部
４７    抜け止め係合段部
５１    ダンパー本体（緩衝器）
５２    ハウジング
５３    周回溝
５４    係合段部
５５    ロッド
Ｃ      吊り戸棚
Ｂ      吊り戸棚本体（任意の部材）
ｕ      天板
ｈ      取付孔
Ｈ      ヒンジ部材
Ｄ      扉（移動体）
【図１】
2006105190.tif 000003
【図２】
2006105190.tif 000004
【図３】
2006105190.tif 000005
【図４】
2006105190.tif 000006
【図５】
2006105190.tif 000007
【図６】
2006105190.tif 000008
【図７】
2006105190.tif 000009
【図８】
2006105190.tif 000010
【図９】
2006105190.tif 000011
【図１０】
2006105190.tif 000012
【図１１】
2006105190.tif 000013
【図１２】
2006105190.tif 000014
【図１３】
2006105190.tif 000015
【図１４】
2006105190.tif 000016
【図１５】
2006105190.tif 000017
【図１６】
2006105190.tif 000018